(57)【要約】      （修正有）【課題】画面を提示する際の安定性に優れ、単純で、堅牢で、使用時は必要な場所に運搬して使用し、不使用時は収納することができる移動式ディスプレイ取付装置を提供する。【解決手段】台車と、台車に垂設された支柱と、支柱上端に設けられた回転部と、回転部と連結しディスプレイを回転可能に保持するディスプレイ取付部材を備える。台車は、支持板、支持板の両端部に互いに平行に位置する一対のメインブーム、支持板に設けられメインブームと直交する一対のアーム、メインブームの夫々に対しスライド可能に設けられたスライドブーム、メインブームとスライドブームを連結する第１ガイド手段、支持板とアームとを連結する第２ガイド手段、メインブームにもうけられたストッパ手段、メインブームの両端の下面に設けられたキャスタ、及びスライドブームとアームの先端部に設けられたアウトリガーを有する。【選択図】図１
0003155340.tif 000002
【実用新案登録請求の範囲】
【請求項１】
台車と、前記台車に垂設された支柱と、前記支柱の上端に設けられたディスプレイ取付部とを備える移動式ディスプレイ取付装置であって、
前記台車は、
（Ａ）前記支柱を支持する支持板と、
（Ｂ）前記支持板の長さ方向の両端部に夫々固定され、互いに平行に位置する一対のメインブームと、
（Ｃ）一対の前記メインブームの夫々の、前記支持板との固定位置に対する一側に、前記メインブームにスライド可能に設けられた２個の第１スライドブームと、
（Ｄ）一対の前記メインブームの夫々の、前記支持板との固定位置に対する他側に、前記メインブームにスライド可能に設けられた２個の第２スライドブームと、
（Ｅ）前記支持板に対面する部位を有して連結され、前記メインブームと直交し、前記メインブームの両外側に向けてスライド可能に配置された一対のアームと、
（Ｆ）前記メインブームと前記第１スライドブームが対面する部位、及び前記メインブームと前記第２スライドブームが対面する部位に形成され、前記第１スライドブーム及び前記第２スライドブームを前記メインブームに対しスライド可能に支持する第１ガイド手段と、
（Ｇ）前記支持板と前記アームが対面する部位に形成され、前記アームを前記支持板に対しスライド可能に支持する第２ガイド手段と、
（Ｈ）前記メインブームの両方の末端に設けられるか、若しくは前記第１スライドブーム及び前記第２スライドブームの前記支持板側の末端に設けられたストッパ手段と、
（Ｉ）前記メインブームの両端の下面に設けられたキャスタと、
（Ｊ）前記第１スライドブーム及び第２スライドブームの外側末端部、並びに前記アームの先端部に設けられたアウトリガーと、
を有してなることを特徴とする移動式ディスプレイ取付装置。
【請求項２】
前記第１ガイド手段は、
前記メインブームの、前記第１スライドブーム及び前記第２スライドブームと対向する面に、長手方向に平行に設けられた第１ガイドレールと、
前記第１スライドブーム及び前記第２スライドブーム夫々の、前記メインブームと対向する面に、前記第１ガイドレールと対向して設けられた第２ガイドレールと、
前記第１ガイドレールの両端に設けられ、前記第２ガイドレールに挿入可能な凸型形状に形成された一対の第１ガイドと、
前記第２ガイドレールの長さ方向中央寄りの末端に設けられ、前記第１ガイドレールに挿入可能な凸型形状で形成された第２ガイドと、を有して構成され、
前記メインブームに設けられた第１ガイドレールに、前記第１スライドブーム及び前記第２スライドブーム夫々に設けられた第２ガイドが挿入され、
前記第１スライドブームに設けられた前記第２ガイドレールに、前記メインブームに設けられた一対の前記第１ガイドの一方が挿入され、
前記第２スライドブームに設けられた前記第２ガイドレールに、前記メインブームに設けられた一対の前記第１ガイドの他方が挿入され、
前記第１スライドブーム及び前記第２スライドブームの夫々が、前記メインブームの、前記支持板との固定位置から離れる方向に延伸可能にされてなることを特徴とする請求項１に記載の移動式ディスプレイ取付装置。
【請求項３】
前記第２ガイド手段は、
前記支持板の前記アームと対向する面に、前記メインブームと直交する方向に設けられた第３ガイドレールと、
前記アーム夫々の、前記支持板と対向する面に、前記第３ガイドレールと対向して設けられた第４ガイドレールと、
前記第３ガイドレールの両端に設けられ、前記第４ガイドレールに挿入可能な凸型形状に形成された一対の第３ガイドと、
前記第４ガイドレールの長さ方向中央寄り末端に設けられ、前記第３ガイドレールに挿入可能な凸型形状に形成された一対の第４ガイドと、を有して構成されて、
前記第３ガイドレールには、一対の前記第４ガイドが挿入され、
一方の前記第４ガイドレールには一対の前記第３ガイドの一方が挿入され、
他方の前記第４ガイドレールには一対の前記第３ガイドの他方が挿入され、
一対の前記アームを前記メインブームの両外側方向に延伸可能にされてなることを特徴とする請求項１に記載の移動式ディスプレイ取付装置。
【請求項４】
前記第１〜第４ガイドレールは、断面が同一の形状であって、開口部の幅が内部の幅がより小さく形成され、
前記第１〜第４ガイドは、断面が同一の形状であって、先端部が前記第１〜第４ガイドレール開口部の幅より大きく且つ内部の幅より小さく形成され、胴部が開口部の幅より小さく形成されることを特徴とする請求項２又は３に記載の移動式ディスプレイ取付装置。
【請求項５】
前記ストッパ手段は、
前記メインブームと前記第１スライドブーム、及び前記メインブームと前記第２スライドブームに架け渡され、
前記メインブームに固定されるか、又は前記第１スライドブーム及び前記第２スライドブームに固定されるストッパ板と、
前記第１スライドブーム及び前記第２スライドブームに配置され、前記第１スライドブーム及び前記第２スライドブームと前記ストッパ板との間を締め付けるか、若しくは、前記メインブームに固定され、前記メインブームと前記ストッパ板との間を締め付ける締め付け手段と、を有することを特徴とする請求項１に記載の移動式ディスプレイ取付装置。
【請求項６】
前記締め付け手段は、
前記メインブーム設けられるか、若しくは前記第１スライドブーム及び前記第２スライドブームに設けられ、長軸と平行で、開口部の幅が内部の幅より小さく、開口部に鍔部が形成されたストッパレールと、
前記ストッパレールの開口部と重なり合うよう前記ストッパ板に形成されたストッパ孔と、
前記ストッパ孔に貫通して設けられ、前記ストッパレールの開口部より幅が大きく内部より幅が小さい横断面を有し、前記ストッパレールの長軸方向に長軸を有する先端部と、前記ストッパレールの開口部より幅が小さく形成され前記ストッパレールの開口部を移動可能に設けられた胴部と、ネジ山が刻設された末端部と、を有するストッパガイドと、
前記末端部のネジ山に螺合する締め付け部材と、を含み、
前記ストッパガイドの先端を前記ストッパレールに挿入し、前記末端部のネジヤマに前記締め付け部材を冠着して締め付けることによって、前記第１スライドブーム及び前記第２スライドブームの移動を制止することを特徴とする請求項５に記載の移動式ディスプレイ取付装置。
【請求項７】
前記アウトリガーは、前記第１スライドブーム、前記第２スライドブーム、及び前記アームの先端の下面に設けられたアウトリガー支持板に設けられたアウトリガーネジ孔に貫通して設けられ、上端に回転操作部と下端に床面当接部とを有する棒材であって、前記棒材の上部と下部とに前記アウトリガーネジ孔と螺合するネジ山が設けられ、中間部は前記アウトリガーネジ孔内を移動自在に配備されることを特徴とする請求項１に記載の移動式ディスプレイ取付装置。
【請求項８】
一対の前記メインブームは、前記第１スライドブーム及び第２スライドブームを備える面が、相互に対向する向きに形成されることを特徴とする請求項１に記載の移動式ディスプレイ取付装置。
【請求項９】
前記支柱は、前記支持板に設けられた支柱取付部材によって下端が前記支持板に垂設される下部支柱と、前記下部支柱に挿入または冠着して設けられた上部支柱と、を有し、前記下部支柱に１以上設けられた下部支柱孔と前記上部支柱に１以上設けられた上部支柱孔（但し、前記下部支柱孔と前記上部支柱孔との何れか一方は２以上である）とを支柱係止ネジで螺着して前記支柱の長さが可変に形成されることを特徴とする請求項１に記載の移動式ディスプレイ取付装置。
【請求項１０】
前記支柱には、移動するときに把持する把持部が取り付けられたことを特徴とする請求項１に記載の移動式ディスプレイ取付装置。
【請求項１１】
前記ディスプレイ取付部は、前記支柱の長軸と平行な回転軸を有する水平回転部、前記支柱の長軸と直交する回転軸を有する垂直回転部、及びディスプレイを保持するディスプレイ取付部材を有して前記支柱の上端に取付けられ、前記ディスプレイを水平方向及び垂直方向に回転可能に支持することを特徴とする請求項１に記載の移動式ディスプレイ取付装置。
【請求項１２】
前記水平回転部は、
前記支柱の上端に、上面が水平で、取付ボルトが垂直に貫通するボルト孔を備え、内側にナットが設けられた取付基材が固定され、前記取付基材に当設して、
前記取付基材に向けて窪んだ球状の窪み、及び前記球状の窪みの中央に前記ボルトの貫通孔を有する回動受け台と、
前記回動受け台の球状の窪みに嵌合する半球状突起、周縁に設けられた円形鍔、及び中央に設けられた回動孔を有する回動板と、
前記半球状突起に嵌合する球面を有し、中心に取付孔と内部に付勢部材収容孔とを備える回動板押え部材と、
前記回動板押え部材を前記回動受け台方向に付勢する付勢バネ、前記取付ボルトの締め付けを規制するスタット、及びワッシャーを有する付勢手段と、がこの順に設置され、
前記取付ボルトを、前記回動受け台の前記貫通孔、前記回動板の前記回動孔、前記回動板押え部材の前記取付孔、前記付勢バネ、前記スタット、及び前記ワッシャーを貫通させて前記ナットに螺止して形成されることを特徴とする請求項１１に記載の移動式ディスプレイ取付装置。
【請求項１３】
前記回動孔が、前記ディスプレイのディスプレイ面と平行な長孔に形成され、前記取付ボルトが前記回動孔内を前記ディスプレイ面と平行な面内で摺動回転可能なように形成されることを特徴とする請求項１２に記載の移動式ディスプレイ取付装置。
【請求項１４】
前記垂直回転部は、
前記回動板の前記円形鍔に固定して水平面内回転自在に支持された連結部材と、
前記連結部材に水平に設けられた水平孔に挿入され、回転が阻止されて保持された第１軸と、
前記第１軸に設けられ、回転を阻止して保持された支持部材と、
前記支持部材によって回転自在に保持された第２軸と、
前記第２軸に設けられ、前記支持部材と重なり合い、且つ回転を阻止されて保持された角度調節板と、
前記第２軸に、回転が阻止されて設けられ前記ディスプレイ取付部材と連結する回転取付部材と、を備え、
前記支持部材と前記角度調節板とを所望の角度をもって重なり合うように保持し、前記角度調節板に設けられた角度調節長孔に角度調節ネジを挿入し、前記支持部材に設けられた角度調節ネジ孔に前記角度調節ネジを螺入し締め付けて、前記角度調節板と前記支持部材との角度を固定することを特徴とする請求項１３に記載の移動式ディスプレイ取付装置。
【請求項１５】
前記第１軸と前記第２軸とは、軸方向に摺動可能な形状に形成され、前記第１軸と前記支持部材、前記第２軸と前記角度調節板、及び前記第２軸と前記回転取付部材の組み合わせの内の１以上の組み合わせにおいて、前記第１軸又は／及び前記第２軸を軸方向に摺動させて抜き取り、挿入角度を変えて再挿入し、前記第１軸に対する前記支持部材の取付角度、前記第２軸に対する前記角度調節板の取付角度、及び前記第２軸に対する前記回転取付部材の取付角度の内の１以上の角度を変更することによって、前記ディスプレイ取付部材の取付角度が可変であることを特徴とする請求項１４に記載の移動式ディスプレイ取付装置。
【請求項１６】
前記第１軸と前記第２軸とは、断面が円形の棒材の表面に８個の断面四角形の突起が相互に等間隔且つ軸と平行に設けられていることを特徴とする請求項１５に記載の移動式ディスプレイ取付装置。
【考案の詳細な説明】
【技術分野】
【０００１】
本考案は、ディスプレイの取付装置に係り、より詳しくは、テレビやパーソナルコンピュータなどのディスプレイを台車に取り付けて移動可能にした移動式ディスプレイ取付装置に関する。
【背景技術】
【０００２】
会議などで、パーソナルコンピュータやテレビ・ビデオなどの映像機器（以下パーソナルコンピュータと略す）に保存された映像、画像、文字や、テレビ、ビデオの画像など（以下画像と略す）を聴衆に提示する方法は、従来はパーソナルコンピュータで処理した画像データをコンピュータからプロジェクタに転送し、プロジェクタで光学画像に変換してスクリーンに投影する方法が採られていた。
【０００３】
この場合、パーソナルコンピュータとプロジェクタとを接続しなければならず、プロジェクタとスクリーンとの間には所定の距離が必要であった。このため、発言者がスクリーンの近くでパーソナルコンピュータを操作しながら発言するためには、パーソナルコンピュータとプロジェクタとを繋ぐケーブルを設置するか、パーソナルコンピュータを無線／有線で遠隔操作するか、又は発言者の操作を代行する助手の援助が必要であった。このため、発表者の席がスクリーンから離れたパーソナルコンピュータの傍に設けられることもあった。
また、プロジェクタとスクリーンとの間には視聴者が座ることができないという問題点や、プロジェクタの電源確保が必要であるという問題点もあった。
これらの問題点を解決するため、パーソナルコンピュータを大型ディスプレイに接続して画像を提示するという要望が高まってきた。
【０００４】
スクリーンが大型化されると、その移動のための手段が必要となってきて、大型スクリーンを取付けできるとともに、使用しないときの保管に大きい場所を占めない移動式ディスプレイ取付装置が望まれるようになった。
従来の画像提示装置として、図９に示すようなものがある（例えば特許文献１を参照）。図９（ａ）は従来の画像提示装置の例を斜め前方からの斜視図であり、図９（ｂ）は上方側面からの斜視図である。
この平面画像表示装置５０１は、画像表示部５０４を有する本体部５０２と、本体部を支持する支持手段５０３を組合せて構成されている。
【０００５】
本体部５０２は、タッチパネル式ディスプレイである画像表示部５０４と画像表示部５０４の下方に設置され画像データの処理を行う演算部５０５とを備えている。
支持手段５０３は、支柱５０６と直交する軸を中心に垂直方向に回転して画像表示部５０４が好みの向きに調整可能とする回動機構５０９と、本体部５０２の高さを調整可能とする昇降機構５１０とを有している。
【０００６】
回動機構５０９は、支持手段５０３の上端に接続して設けられ、水平方向に板状部材５１１が延びて、その両端には軸部５１２が設けられて、本体部５０２が２つの軸部５１２によって回転自在に軸支されている。
昇降機構５１０は、本体部５０２の高さを調整可能とする昇降機構であって、脚部５０７に固定された支柱５０６と支柱５０６に係合するスライド筒５１０とを有する。固定筒の下端前面に設けられた昇降解除ペダル５１２を踏み込むと、支柱５０６とスライド筒５１０の係合が外れ、スライド筒５１０がスライド自在になり、本体部５０２の高さを調整することができる。スライド筒を上方向に付勢する付勢部材（バネなど）を筒内に設けることにより、本体部５０２の昇降を小さな力で行えるようにされている。
このような回動機構５０９と昇降機構５１０とによって、本体部５０２は上下方向の位置と画像表示部５０４の上下方向の角度との選択が可能となっている。
【０００７】
移動式ディスプレイ取付装置としては、移動を可能としたキャスタベースと上下レベルを変更する昇降機構を有するディスプレイ用スタンドが開示されている（例えば特許文献２を参照）。しかしこの装置は、大型ディスプレイを取り付けるために必要な、安定性への配慮が不十分である。またこの装置は、上下レベルを変更するのみで、ディスプレイ面の水平方向や上下方向の変更はできず、性能として不十分なものであった。
【０００８】
図９に示すような一体型の画像表示装置は、ディスプイが大型になった場合は装置も大型化し、不使用時の保管場所に問題が生じる可能性がある。
また、ディスプレイで画像を提示する場合に要求される条件は多様であり、その条件に対応したディスプレイによって画像を提示することが望ましい。多様な条件に対応するためには、一体に成型された専用装置より、使用環境に適した汎用ディスプレイをディスプレイ取付装置に取り付けて画像を提示する方が好ましい。
また、移動式ディスプレイ取付装置は、性能の劣るものが多いので、性能の向上が望まれている。
【０００９】
移動式ディスプレイ取付装置には次のような要望がある。即ち、単純な構造で、堅牢で安定性に優れている構造であり、必要な場所に運搬して使用し、不使用時は収納するための、移動式が好ましい。また、移動式であっても、固定式の専用装置と同等の性能を持つものが望ましい。
【００１０】
一度に多数の視聴者に画面を提示するためには、画面を高い所に設置する必要があり、大型で高重量のディスプレイを高所で提示するためには大きな脚部が必要となってくる。一方で、不使用時には保管するために脚部の専有面積を小さくしたい、という要望がある。
【先行技術文献】
【特許文献】
【００１１】
【特許文献１】特開２００６−６４８４５号公報
【特許文献２】特開２００７−１０２２０９号公報
【考案の概要】
【考案が解決しようとする課題】
【００１２】
かかる課題を解決するための本考案の目的は、単純かつ堅牢な構造で、使用時の安定性に優れるとともに、移動するに容易であり、しかも使用しない時には小さくまとまって収納し易いディスプレイ取付装置を提供することにある。
【課題を解決するための手段】
【００１３】
かかる課題を解決するための本考案の移動式ディスプレイ取付装置は、台車と、台車に垂設された支柱と、支柱の上端に設けられたディスプレイ取付部とを備える移動式ディスプレイ取付装置あって、
台車は、（Ａ）支柱を支持する支持板と、（Ｂ）支持板の長さ方向の両端部に夫々固定され、互いに平行に位置する一対のメインブームと、（Ｃ）一対のメインブームの夫々の、支持板との固定位置に対する一側に、メインブームにスライド可能に設けられた２個の第１スライドブームと、（Ｄ）一対のメインブームの夫々の、支持板との固定位置に対する他側に、メインブームにスライド可能に設けられた２個の第２スライドブームと、（Ｅ）支持板に対面する部位を有して連結され、メインブームと直交し、メインブームの両外側に向けてスライド可能に配置された一対のアームと、（Ｆ）メインブームと第１スライドブームが対面する部位、及びメインブームと第２スライドブームが対面する部位に形成され、第１スライドブーム及び第２スライドブームをメインブームに対しスライド可能に支持する第１ガイド手段と、（Ｇ）支持板とアームが対面する部位に形成され、アームを支持板に対しスライド可能に支持する第２ガイド手段と、（Ｈ）メインブームの両方の末端に設けられるか、若しくは前記第１スライドブーム及び前記第２スライドブームの前記支持板側の末端に設けられたストッパ手段と、（Ｉ）メインブームの両端の下面に設けられたキャスタと、（Ｊ）第１スライドブーム及び第２スライドブームの外側末端部、並びにアームの先端部に設けられたアウトリガーと、を有してなることを特徴とする。
【００１４】
また本考案の第１ガイド手段は、メインブームの、第１スライドブーム及び第２スライドブームと対向する面に、長手方向に平行に設けられた第１ガイドレールと、第１スライドブーム及び第２スライドブーム夫々の、メインブームと対向する面に、第１ガイドレールと対向して設けられた第２ガイドレールと、第１ガイドレールの両端に設けられ、第２ガイドレールに挿入可能な凸型形状に形成された一対の第１ガイドと、第２ガイドレールの長さ方向中央寄りの末端に設けられ、第１ガイドレールに挿入可能な凸型形状で形成された第２ガイドと、を有して構成され、
メインブームに設けられた第１ガイドレールに、第１スライドブーム及び第２スライドブーム夫々に設けられた第２ガイドが挿入され、第１スライドブームに設けられた第２ガイドレールに、メインブームに設けられた一対の第１ガイドの一方が挿入され、第２スライドブームに設けられた第２ガイドレールに、メインブームに設けられた一対の第１ガイドの他方が挿入され、第１スライドブーム及び第２スライドブームの夫々が、メインブームの、支持板との固定位置から離れる方向に延伸可能にされてなることが好ましい。
【００１５】
また本考案の第２ガイド手段は、支持板のアームと対向する面に、メインブームと直交する方向に設けられた第３ガイドレールと、アーム夫々の、支持板と対向する面に、第３ガイドレールと対向して設けられた第４ガイドレールと、第３ガイドレールの両端に設けられ、第４ガイドレールに挿入可能な凸型形状に形成された一対の第３ガイドと、第４ガイドレールの長さ方向中央寄り末端に設けられ、第３ガイドレールに挿入可能な凸型形状に形成された一対の第４ガイドと、を有して構成されて、
第３ガイドレールには、一対の第４ガイドが挿入され、一方の第４ガイドレールには一対の第３ガイドの一方が挿入され、他方の第４ガイドレールには一対の第３ガイドの他方が挿入され、一対のアームをメインブームの両外側方向に延伸可能にされてなることが好ましい。
【００１６】
また本考案の第１〜第４ガイドレールは、断面が同一の形状であって、開口部の幅が内部の幅がより小さく形成され、第１〜第４ガイドは、断面が同一の形状であって、先端部が第１〜第４ガイドレール開口部の幅より大きく且つ内部の幅より小さく形成され、胴部が開口部の幅より小さく形成されることが好ましい。
【００１７】
また本考案のストッパ手段は、メインブームと第１スライドブーム、及びメインブームとメインブームと第２スライドブームに架け渡され、メインブームに固定されるか、又は第１スライドブーム及び第２スライドブームに固定されるストッパ板と、第１スライドブーム及び第２スライドブームに配置され、第１スライドブーム及び第２スライドブームとストッパ板との間を締め付けるか、又はメインブームに固定され、メインブームとストッパ板との間を締め付ける締め付け手段を有することが好ましい。
【００１８】
また本考案の締め付け手段は、メインブーム設けられるか、又は第１スライドブーム及び第２スライドブームに設けられ、長軸と平行で、開口部の幅が内部の幅より小さく、開口部に鍔部が形成されたストッパレールと、ストッパレールの開口部と重なり合うようストッパ板に形成されたストッパ孔と、ストッパ孔に貫通して設けられ、ストッパレールの開口部より幅が大きく内部より幅が小さい横断面を有し、ストッパレールの長軸方向に長軸を有する先端部と、ストッパレールの開口部より幅が小さく形成されストッパレールノ開口部を移動可能に設けられた胴部と、ネジ山が刻設された末端部と、を有するストッパガイドと、末端部のネジ山に螺合する締め付け部材と、を含み、
ストッパガイドの先端をストッパレールに挿入し、末端部のネジヤマに締め付け部材を冠着して締め付けることによって、第１スライドブーム及び第２スライドブームの移動を制止することが好ましい。
【００１９】
また本考案のアウトリガーは、第１スライドブーム、第２スライドブーム、及びアームの先端の下面に設けられたアウトリガー支持板に設けられたアウトリガーネジ孔に貫通して設けられ、上端に回転操作部と下端に床面当接部とを有する棒材であって、棒材の上部と下部とにアウトリガーネジ孔と螺合するネジ山が設けられ、中間部はアウトリガーネジ孔内を移動自在に配備されることが好ましい。
【００２０】
また本考案の一対のメインブームは、第１スライドブーム及び第２スライドブームを備える面が、相互に対向する向きに形成されることが好ましい。
【００２１】
また本考案の支柱は、支持板に設けられた支柱取付部材によって下端が支持板に垂設される下部支柱と、下部支柱に挿入または冠着して設けられた上部支柱と、を有し、下部支柱に１以上設けられた下部支柱孔と上部支柱に１以上設けられた上部支柱孔（但し、下部支柱孔と上部支柱孔との何れか一方は２以上である）とを支柱係止ネジで螺着して支柱の長さが可変に形成されることことが好ましい。
【００２２】
また本考案のディスプレイ取付部は、支柱の長軸と平行な回転軸を有する水平回転部、支柱の長軸と直交する回転軸を有する垂直回転部、及びディスプレイを保持するディスプレイ取付部材を有して支柱の上端に取付けられ、ディスプレイを水平方向及び垂直方向に回転可能に支持することができる。
【００２３】
また本考案の水平回転部は、支柱の上端に、上面が水平で、取付ボルトが垂直に貫通するボルト孔を備え、内側にナットが設けられた取付基材が固定され、取付基材に当設して、取付基材に向けて窪んだ球状の窪み及び球状の窪みの中央にボルトの貫通孔を有する回動受け台と、回動受け台の球状の窪みに嵌合する半球状突起、周縁に設けられた円形鍔、及び中央に設けられた回動孔を有する回動板と、半球状突起に嵌合する球面を有し、中心に取付孔と内部に付勢部材収容孔とを備える回動板押え部材と、回動板押え部材を回動受け台方向に付勢する付勢バネ、取付ボルトの締め付けを規制するスタット、及びワッシャーを有する付勢手段と、がこの順に設置され、
取付ボルトを、回動受け台の貫通孔、回動板の回動孔、回動板押え部材の取付孔、付勢バネ、スタット、及びワッシャーを貫通させてナットに螺止して形成されることが好ましい。
【００２４】
また本考案は、回動孔を、ディスプレイのディスプレイ面と平行な長孔に形成し、取付ボルトが回動孔内をディスプレイ面と平行な面内で摺動回転可能なように形成することが好ましい。
【００２５】
また本考案の垂直回転部は、回動板の円形鍔に固定して水平面内回転自在に支持された連結部材と、連結部材に水平に設けられた水平孔に挿入され、回転が阻止されて保持された第１軸と、第１軸に設けられ、回転を阻止して保持された支持部材と、支持部材によって回転自在に保持された第２軸と、第２軸に設けられ、支持部材と重なり合い、且つ回転を阻止されて保持された角度調節板と、第２軸に、回転が阻止されて設けられディスプレイ取付部材と連結する回転取付部材と、を備え、
支持部材と角度調節板とを所望の角度をもって重なり合うように保持し、角度調節板に設けられた角度調節長孔に角度調節ネジを挿入し、支持部材に設けられた角度調節ネジ孔に角度調節ネジを螺入し締め付けて、角度調節板と支持部材との角度を固定することができる。
【００２６】
また本考案の第１軸と第２軸とは、軸方向に摺動可能な形状に形成され、第１軸と支持部材、第２軸と角度調節板、及び第２軸と回転取付部材の組み合わせの内の１以上の組み合わせにおいて、第１軸又は／及び第２軸を軸方向に摺動させて抜き取り、挿入角度を変えて再挿入し、第１軸に対する支持部材の取付角度、第２軸に対する角度調節板の取付角度、及び第２軸に対する回転取付部材の取付角度の内の１以上の角度を変更することによって、ディスプレイ取付部材の取付角度が可変であることが好ましい。
【００２７】
また本考案の第１軸と第２軸とは、断面が円形の棒材の表面に８個の断面四角形の突起が相互に等間隔且つ軸と平行に設けられていることが好ましい。
【考案の効果】
【００２８】
本考案の移動式ディスプレイ取付装置の台車は、第１ガイド手段によって、第１スライドブームと第２スライドブームとを、メインブームの長軸方向に伸縮可能に配備すると共に、メインブームと、第１スライドブーム又は第２スライドブームと、の移動を制止するストッパ手段を設けた。また、第２ガイド手段によって一対のアーム夫々を、支持板の長さ方向に伸縮可能に配備した。更に、第１スライドブーム、第２スライドブーム、及びアームの外側末端にアウトリガーを設けた。更にまた、メインブーム両端の下面にキャスタを設けた。
【００２９】
これによって、ディスプレイで画像を聴衆に提示する時は、本考案の移動式ディスプレイ取付装置にディスプレイを取り付けて、画像を提示する会場に容易に移動させることができる。また、提示場所に於いては、第１スライドブーム、第２スライドブーム、及びアームを伸長し、ストッパ手段で制止し、アウトリガーを設置することによって優れた安定性を示すことができる。また、使用しない時は、第１スライドブーム、第２スライドブーム、アーム、及びアウトリガーを収納し、ストッパ手段で制止し、支柱に取り付けた把持部を用い、キャスタで収納場所に容易に移動することができると共に、移動場所における占有面積を小さくすることができる。
【００３０】
また、本考案の移動式ディスプレイ取付装置の第１ガイド手段は、メインブームと、第１スライドブーム又は第２スライドブームと、の対向面夫々に上下各２個のガイドレールとガイドとを設ける構成とした。これによって、メインブームは、第１スライドブーム又は第２スライドブームを各４点で支持する構造を有し、第１スライドブームと第２スライドブームとがメインブームの長さ方向の移動が容易となり、且つ延伸されたメインブームと、第１スライドブーム又は第２スライドブームと、の連結体は単純な構造でありながら折り曲げる力に対して優れた剛直性を示し、大型のディスプレイを安定に支持すことができる。
【００３１】
また、本考案の移動式ディスプレイ取付装置の第２ガイド手段は、支持板とアームとの対向面に、ガイドレール及びガイドレールと嵌合し摺動自在なガイドを設け、ガイドがガイドレール内を摺動する構成としたので、アームを支持板の長さ方向への移動が容易であり、且つ延伸された支持板とアームとの連結体は折り曲げる力に対して優れた剛直性を示し、大型のディスプレイを更に安定に支持すことができる。
【００３２】
また、本考案の移動式ディスプレイ取付装置の支柱は、長さが可変に形成され、ディスプレイを提示する高さを変更することができる。また、水平回転部は、取り付けたディスプレイ面の水平方向の向きを３６０度回転させることができ、所望の角度を回転をさせた後は、付勢バネの付勢圧力によりその向きを保持させることができ、操作性に優れている。
【００３３】
更に、ディスプレイ面の水平線調整（ホリゾンタル調整）を容易に行うことができるように配備されている。垂直回転部は、支持部材と角度調節板との固定角度を変更することによって、取り付けたディスプレイ面の上下方向の向きを変更することができる。また、第１軸又は／及び第２軸を軸方向に引き抜き、角度を変えて再挿入することによってディスプレイ面の上下方向の向きを更に変更することができる。
【００３４】
このように、本考案に係る移動式ディスプレイ取付装置は、デイスプレイの取付の高さ、デイスプレイ面の水平方向の向き、垂直方向の向き、及び水平線の調整を操作性良く行うことができる高性能を有し、これを移動可能な台車に取付けることによって、更に利便性を増すことができる。
【００３５】
本考案に係る移動式ディスプレイ取付装置は、台車に垂設した支柱の上端に取付部をコンパクトに纏めた外観を有するので、デザイン性に優れ、画像を提示する時に視聴者の視線を遮ることが少ない。
【図面の簡単な説明】
【００３６】
【図１】本考案の１実施例に係る移動式ディスプレイ取付装置の外観を示す斜視図である。
【図２】本考案の１実施例に係る移動式ディスプレイ取付装置の正面図である。
【図３】本考案の１実施例に係る移動式ディスプレイ取付装置の平面図である。
【図４】図２のｇ−ｇ断面を上方から見た模式図であり、第１スライドブーム、第２スライドブーム、及びアームを収納した状態を示す。
【図５】（ａ）は図３のａ−ａ断面図であって、メインフレームの両端部のメインフレームと直交する縦断面図であり、（ｂ）は図３のｂ−ｂ断面図であって、スライドフレームの端部のスライドフレームと直交する縦断面図である。
【図６】図３のｃ−ｃ断面の下部の部分図である。
【図７】図２のｄ−ｄ面を下方から上方を見た部分断面図である。
【図８】（ａ）は図７のｅ−ｅ断面の模式図であって、水平回転部及び垂直回転部の断面図を示し、（ｂ）は垂直回転部の主要部品図である。
【図９】（ａ）は従来の画像提示装置の斜め前方からの斜視図であり、（ｂ）は上方側面からの斜視図である。
【考案を実施するための形態】
【００３７】
以下、本考案の移動式ディスプレイ取付装置の詳細を説明する。ここでは、具体的な実施の形態の例を挙げて説明を記載するが、ここに示す実施の形態は、あくまで説明のためであり、本考案をこの実施の形態に限定するものではない。
図１は、本考案の１実施例に係る移動式ディスプレイ取付装置の外観を示す斜視図であり、図２は本考案の１実施例に係る移動式ディスプレイ取付装置の正面図であり、図３は本考案の１実施例に係る移動式ディスプレイ取付装置の平面図である。
【００３８】
図１〜３に示すように、移動式ディスプレイ取付装置１００は、台車１０１と、台車１０１に取付けられた支柱２０１と、支柱２０１の上端に設けられたディスプレイ取付部４００とを有して、台車１０１部分を伸縮自在にして、使用時には大きく拡げてディスプレイを安定に保持し、不使用時には小さくまとめて収納し易くしていることに特徴がある。
以下、ディスプレイ取付装置１００の主要構成部のそれぞれについて詳細に説明する。
【００３９】
（１）台車
先ず、台車１０１について説明する。図４は、図２のｇ−ｇ断面を上方から見た模式図であって、図２に示した実施の形態における第１スライドブーム１１２、第２スライドブーム１１４、及びアーム１０７を収納した状態を示す。図５（ａ）は図３のａ−ａ断面図であり、（ｂ）は図３のｂ−ｂ断面図である。図５（ａ）はメインブーム１１０の末端部分の模式図であって、説明の便宜上第１ガイド手段１１９、ストッパ手段１５０、及びキャスタ１７０の断面を同一図面に示すが、これらが同一平面にあることを意味するものではない。図５（ｂ）は第１スライドブームの長さ方向中央寄り末端部の模式図であって、第１ガイド手段１１９の断面を示す。図６は、図３のｃ−ｃ断面図の下部の部分図である。
【００４０】
台車１０１は、（Ａ）支持板１０２、（Ｂ）メインブーム１１０、（Ｃ）第１スライドブーム１１２、（Ｄ）第２スライドブーム１１４、（Ｅ）アーム１０７、（Ｆ）第１ガイド手段１１９、（Ｇ）第２ガイド手段１２０、（Ｈ）ストッパ手段１５０、（Ｉ）キャスタ１７０、（Ｊ）アウトリガー１６０を主要構成部として有して構成される。
【００４１】
（Ａ）支持板１０２は、支柱２０１を支持する部位であるとともに、支柱２０１の上端部にディスプレイ取付部４００を介してディスプレイ４２０を取り付けられたとき台車１０１を安定に維持する機能を有している。支持板１０２の形状は、特に限定するものではないが、後述する２つの平行なメインブーム１１０を固定するとともに、メインブーム１１０と直交する方向にアーム１０７をスライド可能に取り付けるので、平行する２つの直線状の辺と、この辺と直交する１つの直線状の辺をもつことが要請され、従って、典型的には長方形状である。
【００４２】
（Ｂ）メインブーム１１０は、支持板１０２の平行する２つの直線状の辺にそれぞれ互いに平行に固定される。従って、メインブーム１１０は、支持板１０２の両端で一対となる。
【００４３】
支持板１０２との固定位置に対して一側面を前側とし他側面を後側とするとき、前側を後側より長く、すなわち支持板１０２をメインブーム１１０の中央より後側に設置することが好ましい。ディスプレイ４２０は支柱２０１から前側に向けて取り付けられるので、支持板１０２及び支柱２０１をメインブーム１１０の中央より後側に設置することによって、台車１０１の前後のバランスを取ることができて都合がよい。
【００４４】
（Ｃ）第１スライドブーム１１２と（Ｄ）第２スライドブーム１１４は、メインブーム１１０のそれぞれにスライド可能に取付けられ、支持板１０２との固定位置の前側に第１スライドブーム１１２が、後側第２スライドブーム１１４が位置する。すなわち、台車１０１には、第１スライドブーム１１２が２つと（Ｄ）第２スライドブーム１１４が２つある。（ここで、前側を第１スライドブーム１１２、後側を第２スライドブーム１１４と呼称している。）
【００４５】
（Ｅ）アーム１０７は、支持板１０２のメインブーム１１０と直交する直線状の辺に対向する面にスライド可能に配置され、支持板１０２のそれぞれ両端から外に突出する一対となる。
【００４６】
以上の構成で、図４に示すように、台車１０１は、第１スライドブーム１１２、第２スライドブーム１１４、及びアーム１０７を収納した状態では平面視「Ｈ」字の形状を有する。第１スライドブーム１１２、第２スライドブーム１１４、及びアーム１０７を夫々外側（図４の矢印方向）に延伸できるように構成される。
【００４７】
（Ｆ）第１ガイド手段１１９は、メインブーム１１０に対し第１スライドブーム１１２と第２スライドブーム１１４を所望の方向に、かつ所望の領域でスライドさせる手段であり、
メインブーム１１０と第１スライドブーム１１２が対面する部位、及びメインブーム１１０と第２スライドブーム１１４が対面する部位に形成され、第１スライドブーム１１２及び第２スライドブーム１１４をメインブーム１１０に対しスライド可能に支持している。
【００４８】
第１ガイド手段１１９の形態は、上記のようにメインブーム１１０に対し第１スライドブーム１１２と第２スライドブーム１１４を所望の方向に、かつ所望の領域でスライドさせることができればよい。この好ましい実施形態を以下に例を挙げて説明する。
ここで説明する実施形態では、メインブーム１１０の、第１スライドブーム１１２及び第２スライドブーム１１４と対向する面に、水平且つ長手方向に平行に第１ガイドレール１２１を設け、第１スライドブーム１１２又は前記第２スライドブーム１１４の、メインブーム１１０と対向する面に、第１ガイドレール１２１と対向して第２ガイドレール１２２を設ける。
【００４９】
一方、第１ガイドレール１２１の両端部には、第２ガイドレール１２２と係合する一対の第１ガイド１４１が形成され、第２ガイドレール１２２の長さ方向中央寄りの端部には、第１ガイドレール１２１と係合する第２ガイド１４２を設ける。
【００５０】
第１ガイド１４１と第２ガイドレール１２２の係合、および第２ガイド１４２と第１ガイドレール１２１の係合形態は、代表的には、１ガイドレール１２１と第２ガイドレール１２２を凹型の溝形状の溝とし、第１ガイド１４１と第２ガイド１４２は、その溝に挿入可能な凸型形状とする。
【００５１】
ここで、第１ガイドレール１２１と第２ガイドレール１２２は、溝開口部の幅が溝底部より小さい「あり溝」様の凹形状にし、他方、第１ガイド１４１と第２ガイド１４２は、先端部の幅が根元部の幅より大きい凸形状とし、第１ガイド１４１の凸形状と第２ガイドレール１２２の凹形状とが互いに密に嵌合し、第２ガイド１４２の凸形状と第１ガイドレール１２１の凹形状とが互いに密に嵌合すると、メインブーム１１０と、第１スライドブーム１１２および第２スライドブーム１１４との結合が安定し、スライドも容易となり好ましい形態となる。
第１ガイドレール１２１と第２ガイドレール１２２は相互に同じ形状であることがより好ましく、第１ガイド１４１と第２ガイドレール１２２も相互に同じ形状であることがより好ましい。
【００５２】
この構成により、メインブーム１１０に設けられた第１ガイドレール１２２に、第１スライドブーム１１２及び前記第２スライドブーム１１４夫々に設けられた第２ガイド１４２が挿入され、第１スライドブーム１１２に設けられた第２ガイドレール１２２に、メインブーム１１０の支持板１０２との固定位置より前方に設けられた第１ガイド１４１が挿入され、第２スライドブーム１１４に設けられた第２ガイドレール１２２に、メインブーム１１０の支持板１０２との固定位置より後方に設けられた第１ガイド１４１が挿入され、第１スライドブーム１１２及び第２スライドブーム１１４夫々が、メインブーム１１０の長さ方向で、支持板１０２との固定位置から離れる方向に延伸可能に形成することができる。
【００５３】
図１〜６に示すように、メインブーム１１０、第１スライドブーム１１２、及び第２スライドブーム１１４夫々は、上下各２個のガイドレールとガイドとを設ける構成とすることが好ましい。この構成にすることによって、第１スライドブーム１１２及び第２スライドブーム１１４はメインブーム１１０によって、各々４点で支持される構造を有し、第１スライドブームと第２スライドブームとのメインブームの長さ方向の移動が容易となり、且つ延伸されたメインブームと、第１スライドブーム又は第２スライドブームと、の連結体は単純な構造でありながら折り曲げる力に対して優れた剛直性を示し、大型のディスプレイを安定に支持すことができる。
【００５４】
一対のメインブーム１１０は、第１スライドブーム１１２及び第１スライドブーム１１４を備える面が、相互に対向する向きに形成されることが好ましい。このように構成することによって、メインブーム１１０の内側に第１スライドブーム１１２及び第２スライドブーム１１４を収納することができ、好ましい。
【００５５】
（Ｇ）第２ガイド手段１２０は、支持板１０２に対しアーム１０７を所望の方向に、かつ所望の領域でスライドさせる手段であり、
支持板１０２とアーム１０７が対面する部位に形成され、アーム１０７を支持板１０２に対しスライド可能に支持している。
【００５６】
第２ガイド手段１２０の形態は、上記のように支持板１０２に対しアーム１０７を所望の方向に、かつ所望の領域でスライドさせることができればよい。
ここで説明する実施形態では、メインブーム１１０の、第１スライドブーム１１２及び第２スライドブーム１１４と対向する面に、水平且つ長手方向に平行に第１ガイドレール１２１を設け、アーム１０７の支持板１０２と対向する面に、第３ガイドレール１２３と対向して第４ガイドレール１２４を設ける。
【００５７】
一方、第３ガイドレール１２３の両端部には、第４ガイドレール１２４と係合する一対の第３ガイド１４３が形成され、第４ガイドレール１２４の長さ方向中央寄りの端部には、第３ガイドレール１２３と係合する第４ガイド１４４を設ける。
【００５８】
第３ガイド１４３と第４ガイドレール１２４の係合、および第４ガイド１４４と第３ガイドレール１２３の係合形態は、代表的には、第３ガイドレール１２３と第４ガイドレール１２４を凹型の溝形状の溝とし、第３ガイド１４３と第４ガイド１４４は、その溝に挿入可能な凸型形状とする。
【００５９】
ここで、第３ガイドレール１２３と第４ガイドレール１２４は、溝開口部の幅が溝底部より小さい「あり溝」様の凹形状にし、他方、第３ガイド１４３と第４ガイド１４４は、先端部の幅が根元部の幅より大きい凸形状とし、第３ガイド１４３の凸形状と第４ガイドレール１２４の凹形状とが互いに密に嵌合し、第４ガイド１４４の凸形状と第３ガイドレール１２３の凹形状とが互いに密に嵌合すると、支持板１０２アーム１０７との結合が安定し、スライドも容易となり好ましい形態となる。第３ガイドレール１２３と第４ガイドレール１２４は、断面が同一の形状であることがより好ましく、第３ガイド１４３と第４ガイドレール１２４は、断面が同一の形状であることがより好ましい。更に最も好ましくは、第１ガイドレール１２１、第２ガイドレール１２２、第３ガイドレール１２３、及び第４ガイドレール１２４は、断面が同一の形状であり、第１ガイド１４１、第２ガイド１４２、第３ガイド１４３、及び第４ガイドは、断面が同一の形状である。
【００６０】
支持板１０２に設けられた第３ガイドレール１２３に、一対の第４ガイド１４４が挿入され、一対の第４ガイドレール１２４の一方には一方の第３ガイド１４３が挿入され、一対の第４ガイドレール１２４の他方には他方の第３ガイド１４３が挿入され、一対のアーム１０７をメインブーム１１０の両外側方向に延伸可能にすることができる。
【００６１】
第２ガイド手段１２０は、支持板１０２とアーム１０７との対向面に、ガイドレール及びガイドレールと嵌合し摺動自在なガイドを設け、ガイドがガイドレール内を摺動する構成としたので、アーム１０７を支持板１０２の長さ方向への移動が容易であり、且つ延伸された支持板とアームとの連結体は折り曲げる力に対して優れた剛直性を示し、大型のディスプレイを更に安定に支持すことができる。
【００６２】
本実施例に於いては、メインブーム１１０が支持板１０２の側面に連結された例を図示したが、メインブーム１１０が連結される位置はこれに限らず、支持板１０２の上面又は下面でも良い。またアーム１０７を連結する位置も支持板１０２の上面でも側面でも良い。
【００６３】
図１〜６では、メインブーム１１０が支持板１０２の側面に連結された例を示したが、メインブーム１１０が連結される位置はこれに限らず、支持板１０２の上面又は下面でも良い。またアーム１０７を連結する位置も支持板１０２の上面でも側面でも良い。
【００６４】
第１ガイド手段はメインブーム１１０の側面に設けた例を図示したが、第１ガイド手段はメインブーム１１０の上面又は下面に設けてもよい。また、第２ガイド手段は支持板１０２の下面に設けた例を図示したが、第２ガイド手段は支持板１０２の側面又は上面に設けても良い。
アーム１０７を支持板１０２の長軸の１／２より長く形成し、２個の第３ガイドレール１２３を支持板１０２の下面に、前後２列に並列に配備することができる。
【００６５】
メインブーム１１０の両端、若しくは第１スライドブーム１１２及び第２スライドブーム１１４の支持板１０２側の末端、の何れか一方にストッパ手段１５０を設け、メインブーム１１０と第１スライドブーム１１２、及びメインブーム１１０と第２スライドブーム１１４の移動を必要に応じて制止することが好ましい。
【００６６】
（Ｈ）ストッパ手段１５０は、メインブーム１１０に対し第１スライドブーム１１２と第２スライドブーム１１４とを固定して、相互の動きを止めるものである。ストッパ手段１５０は、ストッパ板１５３と締め付け手段１５８とから成り、メインブーム１１０と第１スライドブーム１１２、及びメインブーム１１０と前記第２スライドブーム１１４に架け渡されて設けらることが好ましい。
【００６７】
ストッパ板１５３は、メインブーム１１０、若しくは第１スライドブーム１１２及び第２スライドブーム１１４、の何れか一方に固定されることが好ましい。締め付け手段１５８は、メインブーム１１０、若しくは第１スライドブーム１１２及び前記第２スライドブーム１１４の何れか他方に設けられ、ストッパ板１５３と、メインブーム１１０と、第１スライドブーム１１２及び第２スライドブーム１１４と、の何れか他方との間を締め付けて固定ることが好ましい。
【００６８】
締め付け手段１５８は、ストッパレール１５１とストッパガイド１５４と締め付け部材１４９とから成ることが好ましい。
ストッパレール１５１は、メインブーム１１０、若しくは第１スライドブーム１１２及び第２スライドブーム１１４、の何れか他方に、長軸と平行に設けられることが好ましい。ストッパレール１５１は、開口部の幅が内部の幅より小さく、開口部に鍔部１５９が形成されることが好ましい。
【００６９】
ストッパガイド１５４は、ストッパレール１５１の開口部と重なり合うようストッパ板１５３に形成されたストッパ孔１５２に貫通して設けられ、ストッパレール１５１の長軸方向に長軸を有し、ストッパレール１５１の開口部より幅が大きく内部より幅が小さく形成された先端部１５５と、ストッパレール１５１の開口部より幅が小さくストッパレール１５１内を摺動可能に設けられた胴部１５６と、ネジ山が刻設された末端部１５７と、を有することが好ましい。
締め付け部材１４９はストッパガイド１５４の末端部１５７に形成されたネジ山と螺合するネジ孔が形成されることが好ましい。
【００７０】
ストッパガイド１５４の先端部１５７をストッパレール１５１に挿入し、末端部１５７のネジ山に締め付け部材１４９を冠着して回転させることによって、先端部１５７がストッパレール１５１の長軸方向に長軸を有して回転が禁止されているので、締め付け部材１４９と先端部１５５とで、ストッパ板１５３を介してストッパレール１５１の鍔部１５９を挟みつけ、第１スライドブーム１１２及び第２スライドブーム１１４の移動を制止することができる。
【００７１】
（Ｉ）キャスタ１７０は、ディスプレイ取付装置の移動を容易にするためのもので、台車１０１に取り付けられる。キャスタ１７０の形式と数、およびその取り付け位置は、本考案は特に限定するものではないが、例えば図１に示すように、キャスタ１７０は、メインブーム１１０両端に２つづつ、台車１０１全体で合計４つがメインブーム１１０の下面に取り付けられる。キャスタ１７０は、さらに第１スライドブーム１１２と第２スライドブーム１１４それぞれの端部に取り付けることもできる。
【００７２】
（Ｊ）アウトリガー１６０は、ディスプレイ取付装置を固定し安定化させるものであって、第１スライドブーム１１２及び第２スライドブーム１１４の外側末端部、並びにアーム１０７の先端部に設けられる。
【００７３】
アウトリガー１６０は、第１スライドブーム１１２、第２スライドブーム１１４、及びアーム１０７の先端に設けられたアウトリガー支持板１６１に設けられたアウトリガーネジ孔１６２に貫通して設けられ、上端に回転操作部１６５と下端に床面当接部１６６とを有する棒材であって、上部と下部とにアウトリガーネジ孔と螺合するネジ山１６３、１６４が設けられ、中間部１６７はアウトリガーネジ孔１６２内を移動自在に配備されることが好ましい。
【００７４】
（２）支柱
支柱２０１は、台車１０１に垂設され、ディスプレイ取付部４００を支持するものである。本考案に好適に用いることができるものであれば何れのものでもよいが、本考案の一実施例として、図７に断面を示す支柱２０１を示す。
【００７５】
図７は図２のｄ−ｄ面を下方から上方を見た部分断面図である。図７に示すように、支柱２０１は、断面が略楕円形状で、内面に相互に平行な２個の内壁３ａ、３ａを有することができる。一方の楕円頂部は楕円カバー３ｂを有し、他方の楕円頂部には平板カバー３ｃを有することができる。
支柱２０１の内部は、楕円カバー３ｂ側のディスプレイの配線を貫通させる配線空間３ｄと、２個の内壁３ａ、３ａに挟まれた内部空間３ｅと、を有することができる。
【００７６】
支柱２０１は支持板１０２に垂設されることが好ましい。支柱２０１を支柱取付部材２０２に垂設する方法は何れでも良いが、好ましい実施例として、図６に示すような支柱２０１を支持板１０２に固定された支柱取付部材２０２に固定して垂設する方法を示すことができる。
【００７７】
図６に示すように、支柱取付部材２０２は、支柱取付部材２０２を支持板１０２に取り付ける支持板取付部２０８と、支持板１０２の上面に突出し支柱２０１を固定する固定部２０９と、が連結して形成されるか、又は一体に形成された形状を有することが好ましい。
【００７８】
支柱２０１は、下端が支持板に垂設された支柱取付部材２０２によって支持板２０１に固定されることが好ましい。より好ましくは、支柱取付部材２０２の固定部２０９を支柱２０１の内部空間３ｅと嵌合するように形成し、支柱２０１の内部空間３ｅに固定部２０９を挿入して固定することが好ましい。
支柱取付部材２０２をカバー２０５で覆うことができる。
【００７９】
支柱２０１の長さを変更可能に配備して、ディスプレイ４２０を提示する高さを変更可能に形成することが好ましい。支柱２０１の長さを変更する手段は本考案に適用可能なものであれば何れでも良い。以下に、図６を参照して本考案の一実施例に係る支柱２０１の長さを変更する手段を説明する。
【００８０】
支柱取付部材２０２によって支持板２０１に固定される下部支柱２０６と、下部支柱２０６に挿入または冠着して設けられた上部支柱２０７と、を有し、下部支柱２０６に１以上設けられた下部支柱孔２１０と上部支柱２０７に１以上設けられた上部支柱孔２１１（但し、前記下部支柱孔と前記上部支柱孔との何れか一方は２以上である）とを係止ネジ２１２で螺着して構成し、支柱２０１の長さ変更できるように構成することが好ましい。
【００８１】
また本考案は、支柱に装置を移動するときに把持する把持部材２０３及び／又はトレイ２０４を取り付けることが好ましい。
【００８２】
（３）ディスプレイ取付部
本考案に係るディスプレイ取付部４００は、支柱２０１の上端に当設して設置され、支持板１０２に垂設された支柱２０１の長軸と平行な回転軸を有する水平回転部３００と、水平回転部３００と連結して設けられ、支柱２０１の長軸と直交する回転軸を有する垂直回転部３１０と、垂直回転部３１０と連結して設けられディスプレイ４２０を保持するディスプレイ取付部材４１０と、を有し、ディスプレイ４２０を水平と垂直方向に回転可能に支持することができる。
【００８３】
（３−１）水平回転部
図８（ａ）は、図７のｅ−ｅ断面図であって、水平回転部及び垂直回転部の断面図であり、（ｂ）は、垂直回転部の主要部品図である。図８（ａ）に示すように、水平回転部３００は、支柱２０１の上端に設けられることが好ましい。
支柱２０１の上端に、取付基材５を、上面が水平になるように固定することが好ましい。取付基材５は、内側にナット１６ａが設けられ、上面に取付ボルト１６が垂直に貫通するボルト孔５ｂを有することが好ましい。取付基材５を、支柱２０１の内部空間３ｅと嵌合するように形成し、取付基材５の上面が、支柱２０１の上端面と同一平面になるように形成することが更に好ましい。
【００８４】
取付基材５に当設して
取付基材５に向けた球状の窪み６ｂを有し、前記球状の窪み６ｂの中央に取付ボルト１６が貫通する貫通孔６ａを有する回動受け台６と、
回動受け台６の球状の窪み６ｂに嵌合する半球状突起１２ａ、周縁に設けられた円形鍔１２ｂ、及び取付ボルト１６が貫通する回動孔１２ｃを備える回動板１２と、
半球状突起１２ａに嵌合する球面１３ａを有し、中心軸に沿って取付ボルト１６が貫通する取付孔１３ｂと付勢部材収容孔１３ｃとを備えた回動板押え部材１３と、
回動板押え部材１３を回動受け台６方向に付勢する付勢バネ１５、取付ボルト１６の締め付けを規制するスタット１４、及びワッシャー１７を有する付勢手段１９と、を設置することができる。
【００８５】
取付ボルト１６を、ワッシャー１７、スタット１４、付勢バネ１５の中空部、回動板押え部材１３の取付孔１３ｂ、回動板１２の回動孔１２ｃ、回動受け台６の貫通孔６ａ、及びボルト孔５ｂを貫通させてナット１６ａに垂直に螺止することによって水平回転部３００を形成することができる。
取付ボルト１６の先端近傍に抜止めピン１６ｂ用の孔を穿孔することが好ましく、これによって取付ボルト１６を緩めた際に垂直回転部３１０が落下する危険を防止できる。
【００８６】
本考案の水平回転部３００は更に、回動板１２に設けられた回動孔１２ｃを、ディスプレイ４２０のディスプレイ面４３０と平行な長軸を有する長孔に形成し、取付ボルト１６が回動孔１２ｃ内をディスプレイ面４３０と平行な面内で摺動回転可能に形成することが好ましい。これによって、ディスプレイ面４３０に直交する軸を回転軸とする回転を行うことができ、ディスプレイ面４３０の水平線調整（ホリゾンタル調整）を行うことができる。
【００８７】
（３−２）垂直回転部
垂直回転部３１０は、連結部材５１によって水平回転部３００と連結される。
連結部材５１の一方の端部を回動板１２に設けられた円形鍔１２ｂに固定することが好ましい。連結部材５１にボルト１６の締め付け強度を調節する取付孔５１ａを設け、取付孔５１ａをカバー１８で覆うことが好ましい。
連結部材５１の他側に沿って第１軸と嵌合する水平な水平孔５１ｂを形成し、水平孔５１ｂに第１軸５３を挿入し、回転しないように配備して保持することが好ましい。
【００８８】
第１軸５３は、両方の末端が水平孔５１ｂの外側に出るように形成され、第１軸５３の両方の末端部に、第１軸５３と回転しないように結合する支持孔５６ａを有する一対の支持部材５６が設けられることが好ましい。一対の支持部材５６は同じ角度で取り付けられる。
【００８９】
支持部材５６は大略『Ｙ』字型の部材であって、支持孔５６ａは『Ｙ』字の基部に当たる部分に形成され、他端に、第２軸５４を回転自在に保持する支持溝５６ｂと角度調節ネジ孔５６ｃとが形成されることが好ましい。支持溝５６ｂの開放方向は、第２軸５４が離脱しないような形状に配備することが好ましい。
【００９０】
第２軸５４に、支持部材５６に重なり合い、第２軸５４と回転しないように嵌合する角度調節板孔５７ａを備える角度調節板５７を設けることが好ましい。一対の角度調節板５７は同じ角度で取り付けられる。
また第２軸５４に、支持部材５６を挟むように一対の滑り止めリング５２を設けることが好ましい。
更に第２軸５４に、第２軸と回転しないように嵌合する取付部材孔５９ａを有する一対の回転取付部材５９を設けることが好ましい。一対の回転取付部材５９は同じ角度で取り付けられる。
【００９１】
角度調節板５７に、角度調節板孔５７ａを中心とした円弧を長軸とする角度調節長孔５７ｂを設けることが好ましい。
【００９２】
支持部材５６と角度調節板５７とを所望の角度をもって重なり合うように保持し、角度調節板５７に設けられた角度調節長孔５７ｂに角度調節ネジ５８を挿入し、支持部材５６に設けられた角度調節ネジ孔５６ｃに角度調節ネジ５８を螺入し締め付けて、角度調節板５７と支持部材５６との角度を固定することができる。一対の、角度調節板５７と支持部材５６とは、同じ角度で取り付けられる。
【００９３】
更に垂直回転部３１０の第１軸５３と第２軸５４とは、更に、軸方向に摺動可能な形状に形成され、第１軸５３と支持部材５６、第２軸５４と角度調節板５７、及び第２軸５４と回転取付部材５９の組み合わせの内の１以上の組み合わせにおいて、第１軸５３又は／及び第２軸５４を軸方向に摺動させて抜き取り、挿入角度を変えて再挿入し、第１軸５３に対する支持部材５６の取付角度、第２軸５４に対する角度調節板５７の取付角度、及び第２軸５４に対する回転取付部材５９の取付角度の内の１以上の角度を変更することによって、ディスプレイ取付部材４１０の取付角度が可変であることが好ましい。
【００９４】
より好ましくは、第１軸５３と第２軸５４とは、断面が円形の棒材の表面に８個の断面四角形の突起が相互に等間隔且つ軸と平行に設けられていることが好ましい。これによって、ディスプレイ取付部材４１０の取付角度が４５°間隔で変更可能になる。
【００９５】
（５）ディスプレイ取付部
回転取付部材５９とディスプレイ取付部材４１０との取付け方法は特に限定されないが、本実施例においては、図７（ｂ）に示すように、咬合溝５９ｂが設けられた回転取付部材５９の咬合溝５９ｂに、ディスプレイ取付部材４１０に設けられた咬合爪５５を咬合させて保持する方法を挙げることができる。ディスプレイ４２０の背面をディスプレイ取付部材４１０取り付ける。
【００９６】
この構成によってディスプレイ取付部材４１０は、ディスプレイ４２０を、回転取付部材５９、第２軸５４、支持部材５６と角度調節板５７とのリンク、第１軸５３、連結部材５１、及び水平回転部３００を介して、支柱２０１と角度可変且つ角度を固定して連結することができる。
（回転動作）
【００９７】
水平回転部３００は、取付ボルト１６を、回動受け台６の貫通孔６ａ、回動板１２の回動孔１２ｃ、回動板押え部材１３の取付孔１３ｂ、付勢バネ１５の中空部、スタット１４、及びワッシャー１７を貫通させて、ナット１６ａに垂直に螺止することによって形成される。この構造によって、水平回転部３００は垂直回転部３１０を介してディスプレイ４２０と連結している。
【００９８】
水平回転部３００は、付勢バネ１５の付勢圧力により回動板押え部材１３が回動受け台６に圧着されているので、ディスプレイ４２０の重量のみでは動かないが、付勢バネ１５の付勢圧力を超える力で回動受け台６の球状の窪み６ｂと回動板１２の半球状突起１２ａとの接触面を水平に摺動回転させることにより、取り付けられたディスプレイ４２０のディスプレイ面４３０の向きを水平方向に３６０°の任意の角度回転させることができ、更に所望の角度の回転をさせた後は付勢バネ１５の付勢圧力によりその向きを保持させることができる。
【００９９】
水平回転部３００は更に、回動孔１２ｃをディスプレイ４１０のディスプレイ面４３０と平行な長孔に形成し、取付ボルト１６が回動孔１２ｃ内をディスプレイ面４３０と平行な面内で摺動回転可能に形成される。これにより、付勢バネ１５の付勢圧力を超える力で、回動受け台６の球状の窪み６ｂと回動板１２の半球状突起１２ａとの接触面を、取付ボルト１６が回動孔１２ｃに沿って摺動する方向に摺動回転させることにより、取り付けられたディスプレイ面４３０の水平線の調節（ホリゾンタル調整）を行うことができ、所望の回転をさせた後は付勢バネ１５の付勢圧力によりその角度を保持させることができる。
【０１００】
ディスプレイ面４３０の水平線の調節が可能な角度の範囲は、回動板１２に設けられた回動孔１２ｃの長径の長さによって決めることができ、特に制限されないが、例えば、取付ボルト１６が回動孔１２ｃの中央にある状態を０度とした場合に−１５度から＋１５度の範囲とすることができる。ディスプレイ面４３０の水平線の調節がホリゾンタル調整のみを目的とする場合は−５度から＋５度の範囲とすることが好ましい。
【０１０１】
垂直回転部３１０は、連結部材５１、第１軸５３、支持部材５６と角度調節板５７とのリンク、第２軸５４、及び回転取付部材５９を含んで構成される。この構成によって、垂直回転部３１０とディスプレイ４２０との角度は、支持部材５６と角度調節板５７とのリンクの角度を変えることで可変となり、支持部材５６と角度調節板５７とのリンクの角度を固定することによって固定することができる。
このように、垂直回転部３１０は、支持部材５６と角度調節板５７とのリンクの角度を操作することによって、支持部材５６と角度調節板５７との連結角度を変更して、ディスプレイ４２０の上下方向の向きを変更することが可能である。
【０１０２】
支持部材５６と角度調節板５７との相互間の回転角度の変更範囲は、角度調節板５７に設けられた角度調節長孔５７ｂの長径の長さによって決めることができ、特に制限されないが、好ましくは１２０度以下である。
【０１０３】
支持部材５６と角度調節板５７とのリンクの角度を操作するために角度調節ネジ５８を緩めると、支持部材５６と角度調節板５７とによる第１軸と第２軸との回転の固定が解除され、第１軸と第２軸とは回転自在になるので、ディスプレイが大きく揺れることがある。
【０１０４】
従って、操作性及び安全性の点からは支持部材５６と角度調節板５７とによる回転角度調節範囲が小さいことが好ましい。この観点からは、支持部材５６と角度調節板５７との回転角度の変更範囲は９０度以下が好ましく、更に好ましい例として４０度を挙げることができる。最も好ましくは、垂直回転部３１０をディスプレイ４２０を仰角１０°と伏角３０°の間で回転可能にする設定を挙げることができる。このように設定しておけば、画像を視聴者に提示する際は、支持部材５６と角度調節板５７とのリンクの角度を変えるのみで、大部分の要望に対応できる。
【０１０５】
また垂直回転部３１０は、第１軸５３から連結部材５１又は／及び支持部材５６、或いは第２軸から角度調節板５７又は／及び回転取付部材５９を軸方向に引き抜いて脱着し、角度を変えて再挿入することによって、ディスプレイ面４３０の上下方向の向きを変更することができる。
【０１０６】
第１軸５３と第２軸５４と表面に８個の断面四角形の突起を、相互に等間隔且つ軸と平行に設け、第１軸５３と第２軸５４とを抜き取り・再挿入することによって４５度ずつの間隔でディスプレイ面４３０の上下方向の向きを変更するように配備した場合は、支持部材５６と角度調節板５７とによる上下方向の回転角度の変更範囲を４５度よりわずかに大きい値、例えば５０度に調節することが好ましい。これによって、ディスプレイ４２０が本考案の移動式ディスプレイ取付け装置１００と交錯する部分を除き、ディスプレイ面４３０の向きを、全ての方向に容易に変更することができる。
【０１０７】
このように配備することによって、本考案に係る移動式ディスプレイ取付装置を、例えば横臥している病人に画像を提供するなど、多様な用途に用いることができる。
【符号の説明】
【０１０８】
３ａ      内壁
３ｂ      楕円カバー
３ｃ      平板カバー
３ｄ      配線空間
３ｅ      内部空間
５        取付基材
５ａ      ボルト孔
６        回動受け台
６ａ      貫通孔
６ｂ      球状の窪み
１２        回動板
１２ａ      半球状突起
１２ｂ      円形鍔
１２ｃ      回動孔
１３        回動板押え部材
１３ａ      球面
１３ｂ      取付孔
１３ｃ      付勢部材収容孔
１４        スタット
１５        付勢バネ
１６        取付ボルト
１６ａ      ナット
１６ｂ      抜止めピン
１７        ワッシャー
１８        カバー
１９        付勢手段
５１        連結部材
５１ａ      取付孔
５１ｂ      水平孔
５２        滑り止めリング
５２ａ      滑り止めリング孔
５３        第１軸
５４        第２軸
５５        咬合爪
５６        支持部材
５６ａ      支持孔
５６ｂ      支持溝
５６ｃ      角度調節ネジ孔
５７        角度調節板
５７ａ      角度調節板孔
５７ｂ      角度調節長孔
５８        角度調節ネジ
５９        回転取付部材
５９ａ      取付部材孔
５９ｂ      咬合溝
１００        移動式ディスプレイ取付装置
１０１        台車
１０２        支持板
１０７        アーム
１１０        メインブーム
１１２        第１スライドブーム
１１４        第２スライドブーム
１１９        第１ガイド手段
１２０        第２ガイド手段
１２１        第１ガイドレール
１２２        第２ガイドレール
１２３        第３ガイドレール
１２４        第４ガイドレール
１４１        第１ガイド
１４２        第２ガイド
１４３        第３ガイド
１４４        第４ガイド
１４９        締め付け部材
１５０        ストッパ手段
１５１        ストッパレール
１５２        ストッパ孔
１５３        ストッパ板
１５４        ストッパガイド
１５５        先端部
１５６        胴部
１５７        末端部
１５８        締め付け手段
１５９        鍔部
１６０        アウトリガー
１６１        アウトリガー支持板
１６２        アウトリガーネジ孔
１６３        ネジ山
１６４        ネジ山
１６５        回転操作部
１６６        床面当接部
１６７        中間部
１７０        キャスタ
２０１        支柱
２０２        支柱取付部材
２０３        把持部
２０４        トレイ
２０５        カバー
２０６        下部支柱
２０７        上部支柱
２０８        支持板取付部
２０９        固定部
２１０        下部支柱孔
２１１        上部支柱孔
２１２        支柱係止ネジ
３００        水平回転部
３１０        垂直回転部
４００        ディスプレイ取付部
４１０        ディスプレイ取付部材
４２０        ディスプレイ
４３０        ディスプレイ面
【図１】
0003155340.tif 000003
【図２】
0003155340.tif 000004
【図３】
0003155340.tif 000005
【図４】
0003155340.tif 000006
【図５】
0003155340.tif 000007
【図６】
0003155340.tif 000008
【図７】
0003155340.tif 000009
【図８】
0003155340.tif 000010
【図９】
0003155340.tif 000011